(57)【要約】【課題】出力インタフェースの消費電力を低減する。【解決手段】上位装置から送られてきたレジスタ値を格納する出力電流値設定レジスタ（３０）と、出力電流値設定レジスタ（３０）に保持されたレジスタ値に基づいて低電圧差動信号出力回路（２）の定電流源（２１）を制御し出力電流値を規定する出力電流値設定回路（３１）とを具備している。【効果】実装状態に応じて出力電流値を下げれば、消費電力を低減できる。【選択図】図１
2007060194.tif 000002
【特許請求の範囲】
【請求項１】
低電圧差動信号出力回路を有するＡＤコンバータであって、前記低電圧差動信号出力回路の出力電流値を変更可能に設定する出力電流値設定手段を具備したことを特徴とするＡＤコンバータ。
【請求項２】
請求項１に記載のＡＤコンバータの出力が有効であるアクティブモードの時と無効であるスリープモードの時とで前記出力電流値を変更することを特徴とするＡＤコンバータの制御方法。
【請求項３】
請求項１に記載のＡＤコンバータにおいて、前記出力電流値設定手段が、出力電流値設定レジスタに保持されたレジスタ値に基づいて出力電流値を規定することを特徴とするＡＤコンバータ。
【請求項４】
請求項３に記載のＡＤコンバータの出力が有効であるアクティブモードの時と無効であるスリープモードの時とで前記出力電流値設定レジスタに保持させるレジスタ値を変更することを特徴とするＡＤコンバータの制御方法。
【請求項５】
請求項１に記載のＡＤコンバータにおいて、前記出力電流値設定手段が、出力電流値設定端子に入力された電圧値に基づいて出力電流値を規定することを特徴とするＡＤコンバータ。
【請求項６】
請求項５に記載のＡＤコンバータの出力が有効であるアクティブモードの時と無効であるスリープモードの時とで前記出力電流値設定端子に入力する電圧値を変更することを特徴とするＡＤコンバータの制御方法。
【請求項７】
請求項１に記載のＡＤコンバータにおいて、前記出力電流値設定手段が、出力電流値設定端子に入力された電流値に基づいて出力電流値を規定することを特徴とするＡＤコンバータ。
【請求項８】
請求項７に記載のＡＤコンバータの出力が有効であるアクティブモードの時と無効であるスリープモードの時とで前記出力電流値設定端子に入力する電流値を変更することを特徴とするＡＤコンバータの制御方法。
【請求項９】
請求項１に記載のＡＤコンバータにおいて、前記出力電流値設定手段が、抵抗器接続端子に接続された抵抗器の抵抗値に基づいて出力電流値を規定することを特徴とするＡＤコンバータ。
【請求項１０】
請求項９に記載のＡＤコンバータの出力が有効であるアクティブモードの時と無効であるスリープモードの時とで前記抵抗器接続端子に接続する抵抗器を抵抗値の異なる抵抗器に変更することを特徴とするＡＤコンバータの制御方法。
【請求項１１】
請求項２，４，６，８，１０のいずれかに記載のＡＤコンバータの制御方法において、前記ＡＤコンバータが超音波診断装置の受信系に組み込まれており、超音波エコーを受信する期間が前記アクティブモードの期間であり、それ以外の期間が前記スリープモードの期間であることを特徴とするＡＤコンバータの制御方法。
【請求項１２】
請求項１に記載のＡＤコンバータにおいて、前記出力電流値設定手段が規定する出力電流値より小さい出力電流値を規定するスリープ電流値設定手段と、モード設定レジスタに保持されたレジスタ値に基づいて前記出力電流値設定手段または前記スリープ電流値設定手段のいずれを優先するかを選択するモード選択手段とを具備したことを特徴とするＡＤコンバータ。
【請求項１３】
請求項１に記載のＡＤコンバータにおいて、前記出力電流値設定手段が規定する出力電流値より小さい出力電流値を規定するスリープ電流値設定手段と、モード設定端子に入力された電圧値に基づいて前記出力電流値設定手段または前記スリープ電流値設定手段のいずれを優先するかを選択するモード選択手段とを具備したことを特徴とするＡＤコンバータ。
【請求項１４】
請求項１に記載のＡＤコンバータにおいて、前記出力電流値設定手段が規定する出力電流値より小さい出力電流値を規定するスリープ電流値設定手段と、モード設定端子に入力された電流値に基づいて前記出力電流値設定手段または前記スリープ電流値設定手段のいずれを優先するかを選択するモード選択手段とを具備したことを特徴とするＡＤコンバータ。
【請求項１５】
請求項１２，１３，１４のいずれかに記載のＡＤコンバータにおいて、前記ＡＤコンバータが超音波診断装置の受信系に組み込まれており、超音波エコーを受信する期間が前記アクティブモードの期間であり、それ以外の期間が前記スリープモードの期間であることを特徴とするＡＤコンバータ。
【請求項１６】
請求項１，３，５，７，９，１２〜１５のいずれかに記載のＡＤコンバータにおいて、前記出力電流値設定手段が規定する出力電流値が１.７５ｍＡ以下であることを特徴とするＡＤコンバータ。
【請求項１７】
請求項１，３，５，７，９，１２〜１６のいずれかに記載のＡＤコンバータの出力端子対と信号線対を介して接続される入力端子対を持つ後段回路の前記入力端子対の近傍に終端抵抗器を接続し、前記入力端子対での信号振幅を確保するように前記信号線対の特性インピーダンスおよび前記終端抵抗器の抵抗値の少なくとも一方を調整することを特徴とするＡＤコンバータの接続方法。
【発明の詳細な説明】
【技術分野】
【０００１】
本発明は、ＡＤコンバータ、ＡＤコンバータの制御方法およびＡＤコンバータの接続方法に関し、更に詳しくは、出力インタフェースの消費電力を低減することが出来るＡＤコンバータ、その制御方法およびその接続方法に関する。
【背景技術】
【０００２】
従来、消費電力やＥＭＩ（electromagnetic interference）の低減のために、信号線対を介して低電圧差動信号を伝送するＬＶＤＳ（Low Voltage Differential Signaling）技術が知られている（例えば、非特許文献１参照。）。
【非特許文献１】LVDS Owner's Manual & Design Guide, Spring 1997, National Semicondactor
【発明の開示】
【発明が解決しようとする課題】
【０００３】
近年、超音波診断装置に組み込まれるＡＤコンバータの出力にＬＶＤＳ技術を用いる試みがなされている。
ＬＶＤＳ技術では、出力電流値が約３.５ｍＡ、終端抵抗器の抵抗値が１００Ω、終端抵抗器の両端電圧値が３５０ｍＶになっており、電源を２Ｖで、かつ３０％程度のマージンをもてば、１信号当たり約１０ｍＷの電力を常に消費する（差動信号であるため常に電流が流れる）ことになる。
一方、ＡＤコンバータ自体の消費電力も次第に低減されており、ここ数年の間に約２０ｍＷにまで低減されようとしている。
しかし、ＡＤコンバータ自体の消費電力が約２０ｍＷにまで低減されてくると、約１０ｍＷの電力を出力インターフェイスで消費することが無視できなくなってくる。
そこで、本発明の目的は、出力インタフェースの消費電力を低減することが出来るＡＤコンバータ、その制御方法およびその接続方法を提供することにある。
【課題を解決するための手段】
【０００４】
第１の観点では、本発明は、低電圧差動信号出力回路を有するＡＤコンバータであって、前記低電圧差動信号出力回路の出力電流値を変更可能に設定する出力電流値設定手段を具備したことを特徴とするＡＤコンバータを提供する。
上記第１の観点によるＡＤコンバータでは、出力電流値設定手段を備えることにより低電圧差動信号出力回路の出力電流値を変更可能にした。これにより、例えば出力電流値を１.７５ｍＡに設定し、終端抵抗器の抵抗値を２００Ωにすると、終端抵抗器の両端電圧値は３５０ｍＶに維持され、電源を２Ｖで、かつ３０％程度のマージンをもてば、１信号当たりの消費電力は約５ｍＷになり、消費電力を低減することが出来る。
【０００５】
第２の観点では、本発明は、前記第１の観点によるＡＤコンバータの出力が有効であるアクティブモードの時と無効であるスリープモードの時とで前記出力電流値を変更することを特徴とするＡＤコンバータの制御方法を提供する。
例えば前記第１の観点によるＡＤコンバータを超音波診断装置の受信系に組み込んだ場合、超音波エコーを受信する期間はＡＤコンバータを働かせる必要があるが、それ以外の期間はＡＤコンバータを働かせる必要がない。
そこで、上記第２の観点によるＡＤコンバータの制御方法では、ＡＤコンバータの出力が有効である（ＡＤコンバータを働かせる必要がある）アクティブモードの時と、ＡＤコンバータの出力が無効である（ＡＤコンバータを働かせる必要がない）スリープモードの時とで、出力電流値を変更する。これにより、例えばスリープモード時の出力電流値を、アクティブモード時の出力電流値の１／４程度にすれば、出力インタフェースの消費電力をいっそう低減することが出来る。
【０００６】
第３の観点では、本発明は、前記第１の観点によるＡＤコンバータにおいて、前記出力電流値設定手段が、出力電流値設定レジスタに保持されたレジスタ値に基づいて出力電流値を規定することを特徴とするＡＤコンバータを提供する。
上記第３の観点によるＡＤコンバータでは、出力電流値設定レジスタに格納するレジスタ値を変更することにより、出力電流値を所望の値に変更することが出来る。
【０００７】
第４の観点では、本発明は、前記第３の観点によるＡＤコンバータの出力が有効であるアクティブモードの時と無効であるスリープモードの時とで前記出力電流値設定レジスタに保持させるレジスタ値を変更することを特徴とするＡＤコンバータの制御方法を提供する。
上記第４の観点によるＡＤコンバータの制御方法では、出力電流値設定レジスタに格納するレジスタ値を変更することにより、アクティブモード時の出力電流値とスリープモード時の出力電流値を切り替えることが出来る。
【０００８】
第５の観点では、本発明は、前記第１の観点によるＡＤコンバータにおいて、前記出力電流値設定手段が、出力電流値設定端子に入力された電圧値に基づいて出力電流値を規定することを特徴とするＡＤコンバータを提供する。
上記第５の観点によるＡＤコンバータでは、出力電流値設定端子に入力する電圧値を変更することにより、出力電流値を所望の値に変更することが出来る。
【０００９】
第６の観点では、本発明は、前記第５の観点によるＡＤコンバータの出力が有効であるアクティブモードの時と無効であるスリープモードの時とで前記出力電流値設定端子に入力する電圧値を変更することを特徴とするＡＤコンバータの制御方法を提供する。
上記第６の観点によるＡＤコンバータの制御方法では、出力電流値設定端子に入力する電圧値を変更することにより、アクティブモード時の出力電流値とスリープモード時の出力電流値を切り替えることが出来る。
【００１０】
第７の観点では、本発明は、前記第１の観点によるＡＤコンバータにおいて、前記出力電流値設定手段が、出力電流値設定端子に入力された電流値に基づいて出力電流値を規定することを特徴とするＡＤコンバータを提供する。
上記第７の観点によるＡＤコンバータでは、出力電流値設定端子に入力する電流値を変更することにより、出力電流値を所望の値に変更することが出来る。
【００１１】
第８の観点では、本発明は、前記第７の観点によるＡＤコンバータの出力が有効であるアクティブモードの時と無効であるスリープモードの時とで前記出力電流値設定端子に入力する電流値を変更することを特徴とするＡＤコンバータの制御方法を提供する。
上記第８の観点によるＡＤコンバータの制御方法では、出力電流値設定端子に入力する電流値を変更することにより、アクティブモード時の出力電流値とスリープモード時の出力電流値を切り替えることが出来る。
【００１２】
第９の観点では、本発明は、前記第１の観点によるＡＤコンバータにおいて、前記出力電流値設定手段が、抵抗器接続端子に接続された抵抗器の抵抗値に基づいて出力電流値を規定することを特徴とするＡＤコンバータを提供する。
上記第９の観点によるＡＤコンバータでは、抵抗器接続端子に接続する抵抗器を抵抗値の違う物に変更することにより、出力電流値を所望の値に変更することが出来る。
【００１３】
第１０の観点では、本発明は、前記第９の観点によるＡＤコンバータの出力が有効であるアクティブモードの時と無効であるスリープモードの時とで前記抵抗器接続端子に接続する抵抗器を抵抗値の異なる抵抗器に変更することを特徴とするＡＤコンバータの制御方法を提供する。
上記第１０の観点によるＡＤコンバータの制御方法では、抵抗器接続端子に接続する抵抗器を抵抗値の違う物に変更することにより、アクティブモード時の出力電流値とスリープモード時の出力電流値を切り替えることが出来る。
【００１４】
第１１の観点では、本発明は、前記第２，４，６，８，１０のいずれかの観点によるＡＤコンバータの制御方法において、前記ＡＤコンバータが超音波診断装置の受信系に組み込まれており、超音波エコーを受信する期間が前記アクティブモードの期間であり、それ以外の期間が前記スリープモードの期間であることを特徴とするＡＤコンバータの制御方法を提供する。
上記第１１の観点によるＡＤコンバータの制御方法では、超音波エコーを受信する期間以外の期間での出力インタフェースの消費電力を低減することが出来る。
【００１５】
第１２の観点では、本発明は、前記第１の観点によるＡＤコンバータにおいて、前記出力電流値設定手段が規定する出力電流値より小さい出力電流値を規定するスリープ電流値設定手段と、モード設定レジスタに保持されたレジスタ値に基づいて前記出力電流値設定手段または前記スリープ電流値設定手段のいずれを優先するかを選択するモード選択手段とを具備したことを特徴とするＡＤコンバータを提供する。
上記第１２の観点によるＡＤコンバータでは、モード設定レジスタに格納するレジスタ値を変更することにより、アクティブモード時の出力電流値とスリープモード時の出力電流値を切り替えることが出来る。
【００１６】
第１３の観点では、本発明は、前記第１の観点によるＡＤコンバータにおいて、前記出力電流値設定手段が規定する出力電流値より小さい出力電流値を規定するスリープ電流値設定手段と、モード設定端子に入力された電圧値に基づいて前記出力電流値設定手段または前記スリープ電流値設定手段のいずれを優先するかを選択するモード選択手段とを具備したことを特徴とするＡＤコンバータを提供する。
上記第１３の観点によるＡＤコンバータでは、モード設定端子に入力する電圧値を変更することにより、アクティブモード時の出力電流値とスリープモード時の出力電流値を切り替えることが出来る。
【００１７】
第１４の観点では、本発明は、前記第１の観点によるＡＤコンバータにおいて、前記出力電流値設定手段が規定する出力電流値より小さい出力電流値を規定するスリープ電流値設定手段と、モード設定端子に入力された電流値に基づいて前記出力電流値設定手段または前記スリープ電流値設定手段のいずれを優先するかを選択するモード選択手段とを具備したことを特徴とするＡＤコンバータを提供する。
上記第１４の観点によるＡＤコンバータでは、モード設定端子に入力する電流値を変更することにより、アクティブモード時の出力電流値とスリープモード時の出力電流値を切り替えることが出来る。
【００１８】
第１５の観点では、本発明は、前記第１２，１３，１４のいずれかの観点によるＡＤコンバータにおいて、前記ＡＤコンバータが超音波診断装置の受信系に組み込まれており、超音波エコーを受信する期間が前記アクティブモードの期間であり、それ以外の期間が前記スリープモードの期間であることを特徴とするＡＤコンバータを提供する。
上記第１５の観点によるＡＤコンバータでは、超音波エコーを受信する期間以外の期間での出力インタフェースの消費電力を低減することが出来る。
【００１９】
第１６の観点では、本発明は、前記第１，３，５，７，９，１２〜１５のいずれかの観点によるＡＤコンバータにおいて、前記出力電流値設定手段が規定する出力電流値が１.７５ｍＡ以下であることを特徴とするＡＤコンバータを提供する。
上記第１６の観点によるＡＤコンバータでは、例えば終端抵抗器の抵抗値を２００Ωにすると、終端抵抗器の両端電圧値は３５０ｍＶに維持されるが、電源を２Ｖで、かつ３０％程度のマージンをもてば、１信号当たりの消費電力は約５ｍＷになり、消費電力を低減することが出来る。
【００２０】
第１７の観点では、本発明は、前記第１，３，５，７，９，１２〜１６のいずれかの観点によるＡＤコンバータの出力端子対と信号線対を介して接続される入力端子対を持つ後段回路の前記入力端子対の近傍に終端抵抗器を接続し、前記入力端子対での信号振幅を確保するように前記信号線対の特性インピーダンスおよび前記終端抵抗器の抵抗値の少なくとも一方を調整することを特徴とするＡＤコンバータの接続方法を提供する。
上記第１７の観点によるＡＤコンバータの接続方法では、信号線対の特性インピーダンスおよび終端抵抗器の抵抗値の少なくとも一方を調整することにより、前記入力端子対での信号振幅を確保することが出来る。
【発明の効果】
【００２１】
本発明のＡＤコンバータ、ＡＤコンバータの制御方法およびＡＤコンバータの接続方法によれば、出力インタフェースの消費電力を低減することが出来る。
【発明を実施するための最良の形態】
【００２２】
以下、図に示す実施例により本発明をさらに詳しく説明する。なお、これにより本発明が限定されるものではない。
【実施例１】
【００２３】
図１は、実施例１に係るＡＤコンバータ１０１を示す回路図である。
このＡＤコンバータ１０１は、アナログ入力をデジタル出力に変換する変換処理回路１と、デジタル出力の各ビット毎にＬＶＤＳ技術に準じた低電圧差動信号を出力する低電圧差動信号出力回路２と、上位装置から送られてきたレジスタ値を格納する出力電流値設定レジスタ３０と、出力電流値設定レジスタ３０に保持されたレジスタ値に基づいて低電圧差動信号出力回路２の定電流源２１を制御し出力電流値を規定する出力電流値設定回路３１とを具備している。
【００２４】
ＡＤコンバータ１０１の出力端子対から「１」を出力する時と「０」を出力する時では、ＡＤコンバータ１０１の出力端子対からの出力電流の向きが逆になるが、出力電流値は同じである。
【００２５】
出力電流値設定レジスタ３０に格納するレジスタ値を変えることによって、出力電流値を変更することが出来る。
【００２６】
また、このＡＤコンバータ１０１は、集積回路化されて、超音波診断装置の受信系に組み込まれている。
【００２７】
ＡＤコンバータ１０１の出力端子対には信号線対４０の一端側が接続され、信号線対４０の他端側は後段回路であるＤＳＰ（Digital Signal Processor）の入力端子対に接続されている。
ＤＳＰの入力端子対の近傍には、終端抵抗器５０が接続されている。
【００２８】
図２は、超音波パルスの送信タイミングと、出力電流値設定レジスタ３０に格納されるレジスタ値の変化と、ＡＤコンバータ１０１の出力端子対から出力される出力電流値の変化を示すタイムチャートである。
レジスタ値が「Ｎａ」の期間は、超音波エコーを受信する期間であり、ＡＤコンバータを働かせる必要があるアクティブモードの期間である。このアクティブモードの期間の出力電流値は、例えば１.０ｍＡである。この場合、終端抵抗器５０の抵抗値は３５０Ωとする。電源を２Ｖで、かつ３０％程度のマージンをもてば、１信号当たりの消費電力は約３ｍＷになり、消費電力を低減することが出来る。
レジスタ値が「Ｎｓ」の期間は、ＡＤコンバータを働かせる必要がないスリープモードの期間である。このスリープモードの期間の出力電流値は、例えば０.２ｍＡである。電源を２Ｖで、かつ３０％程度のマージンをもてば、消費電力は約０.６ｍＷになり、消費電力を低減することが出来る。
【実施例２】
【００２９】
図３は、実施例２に係るＡＤコンバータ１０２を示す回路図である。
このＡＤコンバータ１０２は、アナログ入力をデジタル出力に変換する変換処理回路１と、デジタル出力の各ビット毎にＬＶＤＳ技術に準じた低電圧差動信号を出力する低電圧差動信号出力回路２と、上位装置から出力電流値設定端子３に入力される電圧値に基づいて低電圧差動信号出力回路２の定電流源２１を制御し出力電流値を変更する出力電流値設定回路３２とを具備している。
【００３０】
図４は、超音波パルスの送信タイミングと、出力電流値設定端子３に入力される電圧値の変化と、ＡＤコンバータ１０２の出力端子対から出力される出力電流値の変化を示すタイムチャートである。
電圧値が「Ｖａ」の期間は、超音波エコーを受信する期間であり、ＡＤコンバータを働かせる必要があるアクティブモードの期間である。このアクティブモードの期間の出力電流値は、例えば１.０ｍＡである。
電圧値が「Ｖｓ」の期間は、ＡＤコンバータを働かせる必要がないスリープモードの期間である。このスリープモードの期間の出力電流値は、例えば０.２ｍＡである。
【実施例３】
【００３１】
図５は、実施例３に係るＡＤコンバータ１０３を示す回路図である。
このＡＤコンバータ１０３は、アナログ入力をデジタル出力に変換する変換処理回路１と、デジタル出力の各ビット毎にＬＶＤＳ技術に準じた低電圧差動信号を出力する低電圧差動信号出力回路２と、上位装置から出力電流値設定端子３に入力される電流値に基づいて低電圧差動信号出力回路２の定電流源２１を制御し出力電流値を変更する出力電流値設定回路３３とを具備している。
【００３２】
図６は、超音波パルスの送信タイミングと、出力電流値設定端子３に入力される電流値の変化と、ＡＤコンバータ１０３の出力端子対から出力される出力電流値の変化を示すタイムチャートである。
電流値が「Ｉａ」の期間は、超音波エコーを受信する期間であり、ＡＤコンバータを働かせる必要があるアクティブモードの期間である。このアクティブモードの期間の出力電流値は、例えば１.０ｍＡである。
電流値が「Ｉｓ」の期間は、ＡＤコンバータを働かせる必要がないスリープモードの期間である。このスリープモードの期間の出力電流値は、例えば０.２ｍＡである。
【実施例４】
【００３３】
図７は、実施例４に係るＡＤコンバータ１０４を示す回路図である。
このＡＤコンバータ１０４は、アナログ入力をデジタル出力に変換する変換処理回路１と、デジタル出力の各ビット毎にＬＶＤＳ技術に準じた低電圧差動信号を出力する低電圧差動信号出力回路２と、抵抗器接続端子３’に接続された抵抗器の抵抗値に基づいて低電圧差動信号出力回路２の定電流源２１を制御し出力電流値を変更する出力電流値設定回路３４とを具備している。
【００３４】
抵抗器接続端子３’には、上位装置により切り替えられるスイッチＳｗが接続され、そのスイッチＳｗを介して抵抗器Ｒａ，Ｒｂのいずれか一方が選択的に接続される。なお、抵抗器Ｒａの抵抗値をＲａとし、抵抗器Ｒｂの抵抗値をＲｂとする。
【００３５】
図８は、超音波パルスの送信タイミングと、抵抗器接続端子３’に接続される抵抗器の抵抗値の変化と、ＡＤコンバータ１０４の出力端子対から出力される出力電流値の変化を示すタイムチャートである。
抵抗値が「Ｒａ」の期間は、超音波エコーを受信する期間であり、ＡＤコンバータを働かせる必要があるアクティブモードの期間である。このアクティブモードの期間の出力電流値は、例えば１.０ｍＡである。
抵抗値が「Ｒｓ」の期間は、ＡＤコンバータを働かせる必要がないスリープモードの期間である。このスリープモードの期間の出力電流値は、例えば０.２ｍＡである。
【実施例５】
【００３６】
図９は、実施例５に係るＡＤコンバータ１０５を示す回路図である。
このＡＤコンバータ１０５は、アナログ入力をデジタル出力に変換する変換処理回路１と、デジタル出力の各ビット毎にＬＶＤＳ技術に準じた低電圧差動信号を出力する低電圧差動信号出力回路２と、上位装置から送られてきたレジスタ値を格納する出力電流値設定レジスタ３０と、出力電流値設定レジスタ３０に保持されたレジスタ値に基づいて低電圧差動信号出力回路２の定電流源２１を制御し出力電流値を規定する出力電流値設定回路３１と、低電圧差動信号出力回路２の定電流源２１を制御し出力電流値設定回路３１が規定する出力電流値より小さい出力電流値を規定するスリープ電流値設定回路６０と、上位装置から送られてきたレジスタ値を格納するモード設定レジスタ７０と、モード設定レジスタ７０に保持されたレジスタ値に基づいて出力電流値設定回路３１またはスリープ電流値設定回路６０のいずれを優先するかを選択するモード選択回路７１と、モード選択回路７１に選択された出力電流値設定回路３１またはスリープ電流値設定回路６０のいずれか一方を定電流源２１に接続するスイッチ８０とを具備している。
【００３７】
モード設定レジスタ７０に格納するレジスタ値を変えることによって、アクティブモードとスリープモードを切り替えることが出来る。
【００３８】
図１０は、超音波パルスの送信タイミングと、モード設定レジスタ７０に格納されるレジスタ値の変化と、ＡＤコンバータ１０５の出力端子対から出力される出力電流値の変化を示すタイムチャートである。
レジスタ値が「Ｍａ」の期間は、超音波エコーを受信する期間であり、ＡＤコンバータを働かせる必要があるアクティブモードの期間である。このアクティブモードの期間の出力電流値は、例えば１.０ｍＡである。
レジスタ値が「Ｍｓ」の期間は、ＡＤコンバータを働かせる必要がないスリープモードの期間である。このスリープモードの期間の出力電流値は、例えば０.２ｍＡである。
【実施例６】
【００３９】
図１１は、実施例６に係るＡＤコンバータ１０６を示す回路図である。
このＡＤコンバータ１０６は、アナログ入力をデジタル出力に変換する変換処理回路１と、デジタル出力の各ビット毎にＬＶＤＳ技術に準じた低電圧差動信号を出力する低電圧差動信号出力回路２と、上位装置から送られてきたレジスタ値を格納する出力電流値設定レジスタ３０と、出力電流値設定レジスタ３０に保持されたレジスタ値に基づいて低電圧差動信号出力回路２の定電流源２１を制御し出力電流値を規定する出力電流値設定回路３１と、低電圧差動信号出力回路２の定電流源２１を制御し出力電流値設定回路３１が規定する出力電流値より小さい出力電流値を規定するスリープ電流値設定回路６０と、上位装置からモード設定端子７に入力される電圧値に基づいて出力電流値設定回路３１またはスリープ電流値設定回路６０のいずれを優先するかを選択するモード選択回路７２と、モード選択回路７２に選択された出力電流値設定回路３１またはスリープ電流値設定回路６０のいずれか一方を定電流源２１に接続するスイッチ８０とを具備している。
【００４０】
モード設定端子７に入力する電圧値を変えることによって、アクティブモードとスリープモードを切り替えることが出来る。
【００４１】
図１２は、超音波パルスの送信タイミングと、モード設定端子７に入力される電圧値の変化と、ＡＤコンバータ１０６の出力端子対から出力される出力電流値の変化を示すタイムチャートである。
電圧値が「Ｖma」の期間は、超音波エコーを受信する期間であり、ＡＤコンバータを働かせる必要があるアクティブモードの期間である。このアクティブモードの期間の出力電流値は、例えば１.０ｍＡである。
電圧値が「Ｖms」の期間は、ＡＤコンバータを働かせる必要がないスリープモードの期間である。このスリープモードの期間の出力電流値は、例えば０.２ｍＡである。
【実施例７】
【００４２】
図１３は、実施例７に係るＡＤコンバータ１０７を示す回路図である。
このＡＤコンバータ１０７は、アナログ入力をデジタル出力に変換する変換処理回路１と、デジタル出力の各ビット毎にＬＶＤＳ技術に準じた低電圧差動信号を出力する低電圧差動信号出力回路２と、上位装置から送られてきたレジスタ値を格納する出力電流値設定レジスタ３０と、出力電流値設定レジスタ３０に保持されたレジスタ値に基づいて低電圧差動信号出力回路２の定電流源２１を制御し出力電流値を規定する出力電流値設定回路３１と、低電圧差動信号出力回路２の定電流源２１を制御し出力電流値設定回路３１が規定する出力電流値より小さい出力電流値を規定するスリープ電流値設定回路６０と、上位装置からモード設定端子７に入力される電流値に基づいて出力電流値設定回路３１またはスリープ電流値設定回路６０のいずれを優先するかを選択するモード選択回路７３と、モード選択回路７３に選択された出力電流値設定回路３１またはスリープ電流値設定回路６０のいずれか一方を定電流源２１に接続するスイッチ８０とを具備している。
【００４３】
モード設定端子７に入力する電圧値を変えることによって、アクティブモードとスリープモードを切り替えることが出来る。
【００４４】
図１４は、超音波パルスの送信タイミングと、モード設定端子７に入力される電流値の変化と、ＡＤコンバータ１０７の出力端子対から出力される出力電流値の変化を示すタイムチャートである。
電流値が「Ｉma」の期間は、超音波エコーを受信する期間であり、ＡＤコンバータを働かせる必要があるアクティブモードの期間である。このアクティブモードの期間の出力電流値は、例えば１.０ｍＡである。
電流値が「Ｉms」の期間は、ＡＤコンバータを働かせる必要がないスリープモードの期間である。このスリープモードの期間の出力電流値は、例えば０.２ｍＡである。
【産業上の利用可能性】
【００４５】
本発明のＡＤコンバータ、ＡＤコンバータの制御方法およびＡＤコンバータの接続方法は、超音波診断装置に利用できる。
【図面の簡単な説明】
【００４６】
【図１】実施例１にかかるＡＤコンバータを示す回路図である。
【図２】実施例１にかかるＡＤコンバータの制御方法を示すタイムチャートである。
【図３】実施例２にかかるＡＤコンバータを示す回路図である。
【図４】実施例２にかかるＡＤコンバータの制御方法を示すタイムチャートである。
【図５】実施例３にかかるＡＤコンバータを示す回路図である。
【図６】実施例３にかかるＡＤコンバータの制御方法を示すタイムチャートである。
【図７】実施例４にかかるＡＤコンバータを示す回路図である。
【図８】実施例４にかかるＡＤコンバータの制御方法を示すタイムチャートである。
【図９】実施例５にかかるＡＤコンバータを示す回路図である。
【図１０】実施例５にかかるＡＤコンバータの制御方法を示すタイムチャートである。
【図１１】実施例６にかかるＡＤコンバータを示す回路図である。
【図１２】実施例６にかかるＡＤコンバータの制御方法を示すタイムチャートである。
【図１３】実施例７にかかるＡＤコンバータを示す回路図である。
【図１４】実施例７にかかるＡＤコンバータの制御方法を示すタイムチャートである。
【符号の説明】
【００４７】
１                          変換処理回路
２                          低電圧差動信号出力回路
２１                        定電流源
３１〜３４                  出力電流値設定回路
４０                        信号線対
５０                        終端抵抗器
６０                        スリープ電流値設定回路
１０１〜１０７              ＡＤコンバータ
【図１】
2007060194.tif 000003
【図２】
2007060194.tif 000004
【図３】
2007060194.tif 000005
【図４】
2007060194.tif 000006
【図５】
2007060194.tif 000007
【図６】
2007060194.tif 000008
【図７】
2007060194.tif 000009
【図８】
2007060194.tif 000010
【図９】
2007060194.tif 000011
【図１０】
2007060194.tif 000012
【図１１】
2007060194.tif 000013
【図１２】
2007060194.tif 000014
【図１３】
2007060194.tif 000015
【図１４】
2007060194.tif 000016